(57)【特許請求の範囲】
【請求項１】
プリペイド式携帯電話における待ち受け画面に、広告データを配信する契約がなされたプリペイドカードが用いられるプリペイドカード携帯電話広告配信システムにおいて、
複数の広告データが、プリペイドカードの広告主に対応させたカード番号に対応して格納された広告情報データベースと、
通常のプリペイドカードの度数情報を、前記カード番号に対応して増加させて書き込む書き替え部と、
前記プリペイド式携帯電話から送信されるプリペイドカードのカード番号を入力し、該広告情報データベースに、前記カード番号が登録されているか否かの検出を行うカード番号確認部と、
前記広告情報データベースから、前記登録されたカード番号に対応した広告データを読み出し、前記プリペイド式携帯電話に配信する広告情報サーバと
から構成されることを特徴とする携帯電話広告配信システム。
【請求項２】
前記広告情報サーバが、前記カード番号に対応する広告主の広告データを、広告情報データベースから読み出し、このカード番号のプリペイドカードを使用している前記プリペイド式携帯電話に送信することを特徴とする請求項１記載の携帯電話広告配信システム。
【請求項３】
待ち受け画面へ広告の配信を行う契約のなされたプリペイドカードが用いられる際、プリペイド式携帯電話に、広告データを配信する携帯電話広告配信サーバであり、
複数の広告データが、プリペイドカードの広告主に対応させたカード番号に対応して格納された広告情報データベースと、
通常のプリペイドカードの度数情報を、前記カード番号に対応して増加させて書き込む書き替え部と、
前記プリペイド式携帯電話から送信されるプリペイドカードのカード番号を入力し、該広告情報データベースに、前記カード番号が登録されているか否かの検出を行うカード番号確認部と、
前記広告情報データベースから、前記登録されたカード番号に対応した広告データを読み出し、前記プリペイド式携帯電話に配信する広告情報配信部と
から構成されることを特徴とする携帯電話広告配信サーバ。
【発明の詳細な説明】
【０００１】
【発明の属する技術分野】
本発明は、プリペイド型の携帯電話へ広告を配信し、この広告を携帯電話の表示部に表示させることで、プリペイド型の携帯電話の通話料金の割引を行う携帯電話広告配信システムに関する。
【０００２】
【従来の技術】
近年、携帯電話が多く普及するようになり、広告媒体としても多用されるようになってきている。
例えば、自局への呼出信号のヘッダに自局への呼び出しが無い場合、待ち受け画面に、前記呼出情報に含まれる広告情報を読み込み、表示部に表示させる技術がある（特開２０００−３０７６２）。
【０００３】
しかしながら、上述した広告配信は、利用者へのメリット、例えば、通話料金の割引等が全くされておらず、相互利益の点に関して実用上に問題がある。
そこで、上述した問題を解決するため、広告の配信を受け、この広告を利用者が見た場合に、その利用者の通話料金を割り引くサービスの広告配信システムがある（特開２０００−２６８０９０）。
【０００４】
【発明が解決しようとする課題】
しかしながら、上述した従来例は、通常の契約の携帯電話に対する発明であり、プリペイド型には対応していないため、プリペイド型の携帯電話を使用している利用者には広告配信によるメリットは少ない。
すなわち、プリペイド型の携帯電話を使用する場合、着信には料金がかからないが発信するためプリペイドカードを購入するため、使用前に通話料金を支払っていることになる。
【０００５】
また、プリペイドカードの度数がなくなっても、着信はでき、契約料金がいらないため、通話料金は割高となっている。
しかしながら、度数が残っていても使用期限が来れば、そのプリペイドカードの使用ができなくなる。
このため、従来例においては、プリペイド型の携帯電話を使用している利用者が、広告を配信されたとしても、広告を見てどのような商品があるかのメリットはあるかもしれないが、広告配信により料金が割り引かれるという、一般の携帯電話のサービスを受けることができないという問題がある。
【０００６】
本発明はこのような背景の下になされたもので、プリペイド型の携帯電話でも一般の携帯電話と同様に通話料金の割引サービスが可能な携帯電話広告配信システムを提供する事にある。
【０００７】
【課題を解決するための手段】
本発明の携帯電話広告配信システムは、プリペイド式携帯電話における待ち受け画面に、広告データを配信する契約がなされたプリペイドカードが用いられるプリペイドカード携帯電話広告配信システムにおいて、複数の広告データが、プリペイドカードの広告主に対応させたカード番号に対応して格納された広告情報データベースと、通常のプリペイドカードの度数情報を、前記カード番号に対応して増加させて書き込む書き替え部と、前記プリペイド式携帯電話から送信されるプリペイドカードのカード番号を入力し、該広告情報データベースに、前記カード番号が登録されているか否かの検出を行うカード番号確認部と、前記広告情報データベースから、前記登録されたカード番号に対応した広告データを読み出し、前記プリペイド式携帯電話に配信する広告情報サーバとから構成されることを特徴とする。
【０００８】
本発明の携帯電話広告配信システムは、前記広告情報サーバが、前記カード番号に対応する広告主の広告データを、広告情報データベースから読み出し、このカード番号のプリペイドカードを使用している前記プリペイド式携帯電話に送信することを特徴とする。
【０００９】
本発明の携帯電話広告配信サーバは、待ち受け画面へ広告の配信を行う契約のなされたプリペイドカードが用いられる際、プリペイド式携帯電話に、広告データを配信する携帯電話広告配信サーバであり、複数の広告データが、プリペイドカードの広告主に対応させたカード番号に対応して格納された広告情報データベースと、通常のプリペイドカードの度数情報を、前記カード番号に対応して増加させて書き込む書き替え部と、前記プリペイド式携帯電話から送信されるプリペイドカードのカード番号を入力し、該広告情報データベースに、前記カード番号が登録されているか否かの検出を行うカード番号確認部と、前記広告情報データベースから、前記登録されたカード番号に対応した広告データを読み出し、前記プリペイド式携帯電話に配信する広告情報配信部とから構成されることを特徴とする。
【００１０】
広告主が広告料を支払っているプリペイドカードの購入と、このプリペイドカードに記述された番号の入力により、待ち受け画面への広告表示を可能にする。また、待ち受け画面への広告のダウンロードは、情報通信手段によって配信されてきても良いし、専用の端末からケーブルを直接携帯電話に接続するようにしてもよい。
このように、プリペイド式の携帯電話の待ち受け画面への広告表示を可能にすることで、待ち受け画面を有効に活用して、前もって通話料金を割り引かれたプリペイドカード等の購入を可能とする。
【００１１】
【発明の実施の形態】
以下、図面を参照して本発明の実施形態について説明する。図１は本発明の一実施形態による携帯電話広告配信システムの概念図である。この図において、広告主１０は、広告配信業者１１に対して広告の配信を依頼する。
そして、広告配信業者１１は、電話会社１２に対して度数を割り増ししたり、あるいは価格の値引くなどの割引を行ったプリペイドカード１４の販売を依頼する。
【００１２】
また、広告主１は、電話会社１２に対して、販売されたプリペイドカード１４毎に、プリペイドカード１４の割り引き分の通話料金を支払う契約を交わす。
広告配信業者１１は、広告主１０の依頼により、対応するプリペイドカード１４が使用されている携帯電話１３に対して広告の配信を行う。
ここで、プリペイド型の携帯電話１３（以下、携帯電話１３とする）の利用者は、自分の興味のある、または割引率の高い広告の配信が行われるプリペイドカードの購入を行い、携帯電話１３を使用する。
【００１３】
このとき、プリペイドカード１４に対する度数の書き込みは、電話会社１２で行われても良いし、コンビニエンスストアに設置された、プリペイドカードの情報の読みとり及び書き換え手段を有し、電話会社１２に接続された専用端末から広告主に対応した広告主番号（カード番号）と度数（割り引かれて度数の増加した）とを書き込むようにしても良い。
また、ここで、スクラッチに隠された状態の、プリペイドカードに記載されている番号を、広告主番号として使用しても良い。
【００１４】
上記専用端末が、通常のプリペイドカードの度数の情報を、広告主番号に対応して増加させて、この度数が増加されたプリペイドカード１４を通常の広告の配信されないプリペイドカードと同一の値段で販売するようにして、通話料金の割引を行うようにしても良い。
ここで、プリペイドカード１４の使用期限を増加するサービスを付け加えることも可能である。
また、上記専用端末の利用において、携帯電話Ｋ１をケーブルにより、この専用端末に接続し、携帯電話１３の電話番号により、待ち受け画面にダウンロードする広告配信の設定をして、電話会社１２における度数を減少させる割合を遅くすることで、実質的に度数の増加を行うようにしても良い。
【００１５】
次に、本願発明の携帯電話システムの構成を図２を用いて説明する。図２は、本願発明の携帯電話広告システムの構成を示すブロック図である。
各端末Ｋ１及びＫ２は、各基地局ＢＳ１，ＢＳ２のセルＡ，Ｂに属し、各基地局ＢＳ１及びＢＳ２と電波による送受信を行われ、利用者が通話を行う。
基地局ＢＳ１，ＢＳ２は、携帯電話システムの交換網（携帯電話システム交換網）Ｉに接続され、ている。
【００１６】
携帯電話システム交換網Ｉには、広告データを各携帯電話Ｋ１，Ｋ２（図１の携帯電話１３に対応している）に配信させるための広告配信業者１１（図１参照）の管理する広告情報サーバ１が接続されている。
広告情報サーバ１は、複数の広告主１０（図１参照）から依頼された配信する広告データを、各広告主１０毎に対応させて、広告データベース３に格納している。
【００１７】
各携帯電話Ｋ１，Ｋ２にプリペイドカード１４（図１）を挿入して、表示部に読み出されるこのカードの度数が残っている限りにおいて、発呼することができる。
このときは、携帯電話Ｋ１（もしくはＫ２）がプリペイドカード１４の度数を、電話会社１２の通知により、通話時間等に対応させて書き換える。
または、携帯電話Ｋ１に読み出し機能が無い場合、電話会社１２が広告主番号に対応して管理しているプリペイドカード１４の度数が残っている場合に、発呼することができるようにしてもよい。
どちらの場合においても、電話会社１２（図１）は、従来のプリペイドカードと同様に、通話時間などに対応させて度数の変更処理（度数を減少させていく）を行う。
【００１８】
これにより、携帯電話Ｋ１を利用者が使用するとき、広告の配信による割引されたプリペイドカード１４を使用する場合、プリペイドカード１４に記載または記憶されている広告主番号を入力することにより、携帯電話Ｋ１からの送信相手への発呼が可能となる。
このプリペイドカード１４の購入時点により、利用者は配信される広告の種類、例えば、一つの広告主の広告または複数の広告主の同一種類の商品の組み合わせなどなかから、配信されて有効であると思える内容の広告データを選択する。
【００１９】
また、利用者の購入したプリペイドカード１４自体に広告が記載されていても良い。このプリペイドカード１４自体に記載される広告は、待ち受け画面に表示される画像と同様でも良いし、複数の画像の代表例でもかまわない。
カード番号確認部２は、プリペイドカードに記載されている広告主番号を入力することにより、この広告主番号を内部のデータベースにより検索して、登録されているか否かの検出を行う。
【００２０】
また、カード番号確認部２は、広告主番号が上記データベースに登録されてると判定した場合、登録がされていることを示す確認信号とこの広告主番号とを、広告情報サーバ１へ通知する。
広告情報サーバ１は、上記確認信号により、広告データベース３から、登録された広告主番号に対応して記憶されている広告データを検索して、検索された広告データを、携帯電話システム交換網Ｉ（図１の電話会社１２が管理）を介して携帯電話Ｋ１へ配信する。
【００２１】
このとき、携帯電話Ｋ１は、配信された広告データを受信し、この広告データを待ち受け画面にダウンロードして、常に待ち受け画面に表示する。
一方、携帯電話Ｋ１の発呼部は、通話相手に発呼する前に、待ち受け画面に広告データが表示される状態としておかないと、発呼ができないように構成されている。
すなわち、配信された広告を利用者が見られる状態に表示画面が一定時間の間設定されていないと、携帯電話Ｋ１の発呼部は、通話相手に発呼する処理を行わない。
【００２２】
次に、図１および図２を参照し、一実施形態の動作例を説明する。
例えば、利用者が、携帯電話Ｋ１から通話相手に発呼を行うとする。この利用者は、広告データを配信することで割り引かれたプリペイドカードをコンビニエンスストアなどで購入したとする。
利用者は、プリペイドカード１４のスクラッチ部分を削り、プリペイド番号、すなわち広告主番号を確認、または表示部に表示されるプリペイドカード１４に記憶された広告主番号を確認する。
【００２３】
そして、利用者は、携帯電話Ｋ１にプリペイドカード１４を挿入し、発呼前にプリペイドカード１４に記載されている広告主番号を携帯電話のキーから入力することで、基地局ＢＳ１を介して、広告主番号を、発呼先の電話番号とともに入力し、これらのデータを、電話会社（図１の電話会社１２）へ送信して、発呼の処理を要求する。
また、このとき、プリペイドカード１４に記憶された情報の読みとり機能のある携帯電話の場合には、携帯電話へ発呼先の電話番号を入力すると、この携帯電話がプリペイドカードから広告主番号を読みとり、電話番号とともに読み出した広告主番号を上記電話会社へ送信するようにし、発呼の処理を要求しても良い。
【００２４】
上記電話会社は、基地局ＢＳ１から入力される広告主番号が、割り引きしたプリペイドカード１４に対応していると判定すると、指定された広告配信業者１１の管理する広告情報サーバ１に、この広告主番号を通知する。
そして、広告情報サーバ１は、通知された広告主番号をカード番号確認部２に出力する。
これにより、カード番号確認部２は、広告主番号が上記データベースに登録されてると判定した場合、登録がされていることを示す確認信号とこの広告主番号とを、広告情報サーバ１へ通知する。
広告情報サーバ１は、入力される確認信号に基づき、この広告主番号に対応する広告データを広告データベース３から検索して、この広告データを携帯電話Ｋ１に送信する。
【００２５】
これにより、携帯電話Ｋ１は、受信した広告データを表示部にダウンロードして表示する。
そして、広告情報サーバ１は、携帯電話Ｋ１に広告データを送信したことを電話会社に通知する。
次に、電話会社は、この通知から一定時間の経過後（例えば、１０秒後）すなわち、携帯電話Ｋ１が表示画面に広告データを表示するため、広告データをダウンロードするのに必要な時間の経過後に、携帯電話Ｋ１と発呼先の電話番号との間の回線の接続を行う。
また、プリペイドカードの一番最初の使用開始の時点に、広告データベース３から、プリペイドカードの広告主番号に対応した広告データをダウンロードして、内部の携帯電話Ｋ１のメモリに格納し、このメモリから読み出して待ち受け画面に常に表示させるようにしてもよい。
【００２６】
そして、利用者は、発呼先の相手との会話などの情報交換を行う。
また、上述の処理以降においては、待ち受け画面に上記広告データが常に表示されることとなる。
そして、広告主が複数の場合には、携帯電話Ｋ１において、プリペイドカード１４で発呼を行う毎に、上述した広告データのダウンロードの処理が行われ、順次新しい広告主の広告がダウンロードされる。
また、電話会社は、待ち受け画面において、利用者が発呼処理を行った後、利用者が広告を見る時間（例えば、１０秒）の経過後に、発呼の相手先と携帯電話Ｋ１の回線の接続を行う。
【００２７】
すなわち、プリペイドカード１４を使用するとき、利用者がプリペイドカード１４の番号を広告情報サーバ２に通知し、広告情報サーバ２がこの番号に対応する広告主の広告データを、広告データベース３から検索し、携帯電話Ｋ１へ送信し、携帯電話Ｋ１がこの広告データをダウンロードするようにしてもよい。
このとき、電話会社１２は、携帯電話Ｋ１が発信元となった通話毎に、度数を減少させる管理を行っており、この広告主に対応して管理しているプリペイド番号の度数を、広告主１０のサービス分だけ、増加させるようにして、プリペイドカードの度数の割引、すなわち通話料金の割引を行うようにしてもよい。
【００２８】
上述してきたように、本願発明の携帯電話広告配信システムは、プリペイドカード型の携帯電話においても、携帯電話Ｋ１の持ち主が、広告データを見ることを前提に、広告主が電話料金の一部を広告料として負担した、値引きのされたプリペイドカードを買うことにより、携帯電話Ｋ１の発呼時に、プリペイドカードに記載された広告主番号に対応して、広告データベース３からダウンロードされた広告を、利用者が携帯電話Ｋ１の待ち受け画面において見ることに対して、通話料金の割引サービスを行うというシステムが可能となる。
【００２９】
以上、本発明の一実施形態を図面を参照して詳述してきたが、具体的な構成はこの実施形態に限られるものではなく、本発明の要旨を逸脱しない範囲の設計変更等があっても本発明に含まれる。
例えば、第２の実施形態として、広告データを発呼時に広告データベース３からダウンロードするのではなく、プリペイドカードを販売しているコンビニエンスストアなどの店舗に設置された専用端末から、上述してきた広告データを待ち受け画面に表示するためにダウンロードするようにしても良い。
【００３０】
そして、この専用端末において、第１の実施形態で記載した割引サービスと同様なサービスをこの専用端末において行うようにする。
すなわち、専用端末には、プリペイドカードの情報の読みとり及び書き換え手段を有しており、プリペイドカード１４の度数の情報を読みだし、広告主の割合に応じて、度数を増加させる処理を行う。
このとき、専用端末は、回線を通じ電話会社１２に上記プリペイドのカード番号である広告主番号を通知し、度数の増加、すなわち割引処理の要求を行う。
電話会社１２では、このプリペイドカードの広告主番号に対応して、度数の増加などの割引を行う。
【００３１】
そして、広告データをダウンロードすることによる通話料金の割引に対して、この度数を増加させるサービスの場合には、通常のプリペイドカードと同一の料金により、このプリペイドカードが販売される。
また、広告データをダウンロードすることによる通話料金の割引に対して、を販売額を割り引きするサービスの場合には、専用端末の表示部に表示された割り引きされた販売額を、料金投入口に投入することにより、割り引きされたプリペイドカードを購入できるようにしてもよい。
【００３２】
さらに、上述した専用端末の代わりに、既存の音楽配信用に設置された端末を用いても良い。
また、この場合、プリペイドカード型に限らず、通常の携帯電話に対しても、利用に対する電話料金をこの音楽配信用の端末で行うようにし、待ち受け画面に表示する広告データを、この音楽配信用の端末で複数の中から選択してダウンロードしたのちに、電話料金を支払うときにこの選択された広告データに対応した割引率で電話料金を割り引くように使用するようにしても良い。
ここで、専用端末あるいは音楽配信用の端末が広告データを記憶しており、携帯電話Ｋ１にダウンロードさせる構成でも、専用端末や音楽配信用の端末が図２に示す広告情報サーバ１に接続され、この広告情報サーバ１を介して、広告データベース３に記憶されている広告データを読み出し、携帯電話Ｋ１にダウンロードさせる構成のいずれでも構わない。
【００３３】
上述したように、本願発明の携帯電話広告配信システムは、プリペイドカード型の携帯電話においても、携帯電話Ｋ１の持ち主が、広告データを見ることを前提に、広告主が電話料金の一部を広告料として負担した、値引きのされたプリペイドカードを買うことにより、このプリペイドカードの購入時に、プリペイドカードに記載された広告主番号に対応して、電話会社に接続された専用端末あるいは音楽配信用の端末からダウンロードされた広告を、利用者が携帯電話Ｋ１の待ち受け画面において見ることに対して、通話料金の割引サービスを行うというシステムが可能となる。
【００３４】
上述の第１及び第２の実施形態において、プリペイドカードのカード番号である広告主番号は、書き込みが可能なカードであれば、専用端末で印刷及び磁気的に、利用者の選択した広告の広告主に付された所定の範囲の広告主番号のいずれかを書き込み、すでに番号を刷り込んでいるものは予め広告主番号に対応させたプリペイドカードを用意し、利用者への販売を行う。
【００３５】
次に、本発明の実施の形態によるコンピュータが実行するためのプログラムについて説明する。
図１における第１及び第２の実施形態の携帯電話広告配信システムにおいて、広告サーバが携帯電話に広告データを供給するコンピュータシステムのＣＰＵが実行するためのプログラムは、本発明によるプログラムを構成する。
【００３６】
このプログラムを格納するための記録媒体としては、光磁気ディスク、光ディスク、半導体メモリ、磁気記録媒体等を用いることができ、これらをＲＯＭ、ＲＡＭ、ＣＤ−ＲＯＭ、フレキシブルディスク、メモリカード等に構成して用いてよい。
【００３７】
また上記記録媒体は、インターネット等のネットワークや電話回線等の通信回線を介してプログラムが送信された場合のサーバやクライアントとなるコンピュータシステム内部のＲＡＭ等の揮発性メモリのように、一定時間プログラムを保持するものも含まれる。
【００３８】
また上記プログラムは、このプログラムを記憶装置等に格納したコンピュータシステムから伝送媒体を介して、あるいは伝送媒体中の伝送波により他のコンピュータシステムに伝送されるものであってもよい。上記伝送媒体とは、インターネット等のネットワーク（通信網）や電話回線等の通信回線（通信線）のように情報を伝送する機能を有する媒体をいうものとする。
【００３９】
また、上記プログラムは、前述した機能の一部を実現するためであってもよい。さらに、前述した機能をコンピュータシステムに既に記録されているプログラムとの組み合わせで実現できるもの、いわゆる差分ファイル（差分プログラム）であってもよい。
【００４０】
従って、このプログラムを図１のシステム又は装置とは異なるシステム又は装置において用い、そのシステム又は装置のコンピュータがこのプログラムを実行することによっても、上記実施の形態で説明した機能及び効果と同等の機能及び効果を得ることができ、本発明の目的を達成することができる。
【００４１】
【発明の効果】
上述したように、本願発明の携帯電話広告配信システムによれば、プリペイドカード型の携帯電話においても、携帯電話の持ち主が、広告データを見ることを前提に、広告主が電話料金の一部を広告料として負担した、値引きのされたプリペイドカードを買うことにより、携帯電話の発呼時に、プリペイドカードに記載された広告主番号に対応して、広告データベースからダウンロードされた広告を、利用者が携帯電話の待ち受け画面において見ることに対して、通話料金の割引サービスを行うというシステムが可能となる。
【図面の簡単な説明】
【図１】本発明の一実施形態による携帯電話広告配信システムの概念を示す図である。
【図２】本発明の一実施形態による携帯電話広告配信システムの構成を示すブロック図である。
【符号の説明】
１  広告情報サーバ
２  カード番号確認部
３  広告データベース
１０  広告主
１１  広告配信業者
１２  電話会社
１３  携帯電話
１４  プリペイドカード
Ａ，Ｂ  セル
ＢＳ１，ＢＳ２  基地局
Ｋ１，Ｋ２  携帯電話
Ｉ  携帯電話システム交換網
【図１】
0003606221.tif 000002
【図２】
0003606221.tif 000003